(57)【要約】    【課題】  ゴルフクラブの正しいスイングを簡単かつ正確に体得できるようにした練習具を提供する。    【解決手段】  ゴルフクラブ(10)のスイングを体得できるようにしたゴルフスイング練習具(20)であって、ゴルフクラブのシャフト(12)又はグリップ(13)に取付けられる取付け基部(21)と、該取付け基部に取付けられたロッド(22)と、該ロッドの先端に取付けられ、テイクバックのトップの位置において使用者のゴルフボール(B)を見る視界内に位置されてシャフト及びクラブヘッド(11)の姿勢及び位置を示す指示体(23)と、を備える。【選択図】  図５
2009153557.tif 000002
【特許請求の範囲】
【請求項１】
ゴルフクラブのスイングを体得できるようにしたゴルフスイング練習具であって、
ゴルフクラブのシャフト又はグリップに取付けられる取付け基部と、
該取付け基部に取付けられたロッドと、
該ロッドの先端に取付けられ、テイクバックのトップの位置において使用者のゴルフボールを見る視界内に位置されてシャフト及びクラブヘッドの姿勢及び位置を示す指示体と、
を備えたことを特徴とするゴルフスイング練習具。
【請求項２】
上記取付け基部は上記シャフト又はグリップの廻りに回転可能に取付けられ、テイクバック中にはそのトップの位置で上記指示体がシャフト及びクラブヘッドの姿勢及び位置を示し得る使用位置にストッパーによって位置決めされる一方、ダウンスイング中には上記ロッドがダウンスイング方向に対して後方に残るように旋回されるようになっている請求項１記載のゴルフスイング練習具。
【請求項３】
上記ロッドが伸縮可能に構成されている請求項１記載のゴルフスイング練習具。
【請求項４】
上記取付け基部が毛髪の巻込み防止用カバーによって覆われている請求項１記載のゴルフスイング練習具。
【発明の詳細な説明】
【技術分野】
【０００１】
本発明はゴルフスイング練習具に関し、特に正しいスイングを簡単かつ正確に体得できるようにした練習具に関する。
【背景技術】
【０００２】
ゴルフ競技中にゴルフボールが意図する方向に正確に飛球するとともに飛距離が大きく伸びると、次のショットを楽に行え、スコアアップにつながる。
【０００３】
ゴルフボールを正確にしかも遠くに飛球させる上で、アドレスからのテイクバック、トップの位置からのダウンスイング、その後のフォロースルーまでを理想的なスイングで行うことが重要であるが、初心者やスコアの悪いプレイヤーは理想的なスイングを体得していないのが実情である。
【０００４】
これに対し、スイングを矯正し、理想的なスイングを体得するための種々な装置や器具が提案されている。例えば、いわゆるスイングプレーンに沿ってガイドレールを設け、ガイドレールによってゴルフクラブのスイングをガイドすることにより、スイングプレーン理論に基づいて理想的なスイングを体得できるようしたスイング練習機が提案されている（特許文献１）。
【０００５】
また、股間指示部によってプレイヤーの股間の位置決めを行うとともに、ニーガイドによってテイクバック中及びダウンスイング中の両膝の移動を案内し、身体の動きを拘束することによって理想的なスイングを体得できるようにしたスイング練習用具が提案されている（特許文献２）。
【０００６】
また、アドレス時のボールの位置に紐の一端を取付け、他端をゴルフクラブに取付け、テイクバック中に紐が描く軌跡がスイングプレーン上にあるか否かを確認し、理想的なスイングを体得できるようにした練習具が提案されている（特許文献３）。
【０００７】
【特許文献１】特開２００５−２１８７８４号公報
【特許文献２】特開２００３−１１１８７９号公報
【特許文献３】特開２００２−２５３７２１号公報
【発明の開示】
【発明が解決しようとする課題】
【０００８】
しかし、特許文献１記載の練習機ではプレイヤーの体形やクラブの種類によってスイングプレーンやクラブヘッドの軌道が異なり、プレイヤーの体形やクラブの種類に応じたガイドレールを準備する必要がある。
【０００９】
また、特許文献２記載の練習用具ではプレイヤーの体形やクラブの種類に応じて股間指示部やニーガイドの高さを調整する必要があって煩わしい。
【００１０】
さらに、特許文献３記載の練習用具ではクラブヘッドがスイングプレーン上にあるか否かは確認できるものの、クラブヘッドの開きやかぶりを確認することはできない。
【００１１】
本発明はかかる問題点に鑑み、正しいスイングを簡単かつ正確に体得できるようにしたゴルフスイング練習具を提供することを課題とする。
【課題を解決するための手段】
【００１２】
そこで、本発明に係るゴルフスイング練習具は、ゴルフクラブのスイングを体得できるようにしたゴルフスイング練習具であって、ゴルフクラブのシャフト又はグリップに取付けられる取付け基部と、該取付け基部に取付けられたロッドと、該ロッドの先端に取付けられ、テイクバックのトップの位置において使用者のゴルフボールを見る視界内に位置されてシャフト及びクラブヘッドの姿勢及び位置を示す指示体と、を備えたことを特徴とする。
【００１３】
本件発明の特徴の１つは使用者がゴルフボールを見たまま、クラブヘッドをトップの位置までテイクバックしたときに、使用者の視界内に指示体を位置させ、その指示体によってテイクバックのトップの位置におけるシャフト及びクラブヘッドの姿勢及び位置を確認できるようにした点にある。
【００１４】
これによってテイクバックのときに後ろを振り返ってシャフトやクラブヘッドの姿勢や位置を確認する必要がなく、視界内にある指示体を見ることのみにより、テイクバックのトップの状態においてシャフトが正しい姿勢と位置になっていること及びクラブヘッドが正しい姿勢及び位置にあることを確認でき、つまりテイクバックのトップの位置だと思っていてもトップの位置の手前やオーバースイングになっていること、テイクバックのトップの位置にあっても手首が曲がってクラブヘッドが開いたりかぶったりしていること、あるいは打撃フェイスがスイングプレーンに対して平行になっていないことを確認することができる。
【００１５】
その結果、視界内にある指示体から、テイクバックの正しいトップの位置におけるシャフトやクラブヘッドの正しい姿勢を知ることができ、トップの位置におけるクラブヘッドの正しい姿勢からダウンスイングをするだけで理想的なダウンスイングとなるので、指示体を確認してシャフトやクラブヘッドの姿勢や位置を修正し、正しい姿勢及び位置からダウンスイングするという動作を繰り返すだけで理想的なスイングを体得できる。
【００１６】
取付け基部はシャフト又はクリップに固定してもよいが、取付け基部を単に固定すると、ダウンスイング中にロッドが邪魔になることがある。そこで、取付け基部はシャフト又はグリップの廻りに回転可能に取付け、テイクバック中にはそのトップの位置で指示体がシャフト及びクラブヘッドの姿勢及び位置を示し得る使用位置にストッパーによって位置決めする一方、ダウンスイング中にはロッドがダウンスイング方向に対して後方に残るように旋回されるように構成するのが好ましい。
【００１７】
ロッドは一定の長さとしてもよいが、プレイヤーの体格や使用するゴルフクラブの番手等などに応じて長さを調整できるのがよい。そこで、ロッドは伸縮可能に構成するのが好ましい。
【００１８】
また、指示体は身体と接触した時に目を突かないように、材質を軟質部材、例えばスポンジで覆い、鋭角な突出部分の少ない三角形状とするのがよい。
【００１９】
また、グリップの近くに取付け基部を設けると、毛髪の長い女性の場合にはテイクバックをしダウンスイングをするときに毛髪が取付け基部に巻きつくおそれがある。そこで、取付け基部を毛髪の巻込み防止用カバーによって覆うようにするのが好ましい。
【発明を実施するための最良の形態】
【００２０】
以下、本発明を具体例に基づいて詳細に説明する。図１ないし図５は本発明に係るゴルフスイング練習具の好ましい実施形態を示す。図において、ゴルフクラブ１０はクラブヘッド１１、クラブヘッド１１のホーゼルに取付けられたシャフト１２及びシャフト１２の上端部に取付けられたグリップ１３から構成される。
【００２１】
シャフト１２のグリップ１３近傍には本例のスイング練習具２０の取付け基部２１がシャフト１２廻りに回転し得るように取付けられ、取付け基部２１は差込み部を有し、差込み部にはロッド２２の基部２２Ｃが差し込まれ、取付け基部２１の差込み部及びロッド２２の基部２２Ｃの穴に取付けピン２１Ａが挿通されることによってロッド２２が着脱可能に取付けられている。
【００２２】
また、取付け基部２１には当たり部２１Ｄが形成され、シャフト１２にはストッパー筒２１Ｂが固定され、ストッパー筒２１Ｂには所定の幅のストッパー２１Ｃが形成され、取付け基部２１と当接して取付け基部２１を位置決めするようになっている。
【００２３】
また、シャフト１２には毛髪の巻込み防止用カバー２４が取付けられ、カバー２４は取付け基部２１及びロッド２２の基部２２Ｃを覆って包み込み、毛髪が巻き込まれるのを防止するようになっている。
【００２４】
上記ロッド２２はほぼ円弧状に湾曲されるとともに大径及び小径の２つのパイプ２２Ａ、２２Ｂから構成され、小径のパイプ２２Ｂは大径のパイプ２２Ａに差し込まれて伸縮可能に構成され、小径のパイプ２２Ｂにはロッド２２の長さを示す目盛２２Ｄが形成されている。
【００２５】
ロッド２２の先端には三角形状の指示板（指示体）２３が取付けられ、指示板２３には白色帯状のマーク２３Ａがシャフト１２と平行な方向に伸びるように設けられるとともに、他の部位には黒色のスポンジ２３Ｂが貼り付けられ、指示板２３が不意にプレイヤーの顔面に当たった時に顔面や目が損傷を受けないようにしている。帯状のマーク２３Ａはテイクバックのトップの位置においてゴルフボールＢを見る使用者の視界内に位置されてシャフト１２やクラブヘッド１１の姿勢や位置を示すようになっている。
【００２６】
スイングの練習を行う場合、図４の(a)(b)に示されるように、プレイヤーがゴルフボールＢに向かい、ゴルフクラブ１０を構えてアドレスし、腰及び肩をひねってテイクバックを行う。なお、ゴルフボールＢを使用せず、ゴルフボールＢがセットしてあるものと想定して練習を行うこともできる。
【００２７】
テイクバックを行うと、スイング練習具２０の取付け基部２１はストッパー筒２１Ｂのストッパー２１Ｃによって位置決めされ、ロッド２２はテイクバックのトップの位置において指示板２３がクラブヘッドの位置及び姿勢を示し得る使用位置に位置決めされており、ロッド２２はプレイヤーの身体の廻りを移動し、図５の(a)(b)に示されるように、クラブ１０がテイクバックのトップの位置まで来ると、ロッド２２先端の指示板２３がゴルフボールＢを見ているプレイヤーの視界に入る。
【００２８】
そこで、テイクバックの正しいトップの位置におけるシャフト１２やクラブヘッド１１の理想的な姿勢や位置、具体的にはクラブヘッド１１が開いたりかぶったりせず、打撃フェイスが所定の方向を指向した姿勢に対応する指示板２３の姿勢（プレイヤーが見たときの指示板２３の帯状マーク２３Ａが指向する方向や傾きなど）を予め確認して覚えておき、この指示板２３の理想的な姿勢と現在の指示板２３の姿勢とを比較する。
【００２９】
クラブヘッド１１がトップの位置まで達してなかったり、オーバースイングになったり、あるいはクラブヘッド１１がトップの位置に達しているが開いたりかぶったりし、打撃フェイスがスイングプレーンに平行になっていなかったりしているときには、トップの位置に正確に来るように、又クラブヘッドが理想的な姿勢となるように、プレイヤーが握ったグリップの位置、腰や肩のひねりを調整する。
【００３０】
こうしてゴルフクラブ１０の理想的な姿勢が分かると、そのような理想的な姿勢が得られるように指示板２３によって確認しながらテイクバックを行い、トップの位置からゴルフクラブ１０をダウンスイングすると、理想的なスイングを行うことができ、これを繰り返すことによって理想的なスイングを確実に体得できることとなる。
【００３１】
ゴルフクラブ１０をダウンスイングすると、ロッド２２の慣性力に起因し、図６の(a)(b)に示されるようにロッド２２がダウンスイングの方向に対して後方に残るように、ダウンスイングの途中から取付け基部２１がシャフト１２の廻りに旋回してストッパー２１Ｃによって位置決めされるので、本例のスイング練習具２０がダウンスイングからフォロースルーの邪魔になることはなく、しかも指示板２３がプレイヤーの顔面や目に当たって傷つけるおそれがない。
【００３２】
また、本例のスイング練習具２０は取付け基部２１、ロッド２２及び指示板２３という簡単な構造であり、コスト高を招来することはない。
【図面の簡単な説明】
【００３３】
【図１】本発明に係るゴルフスイング練習具の好ましい実施形態における全体構成図である。
【図２】上記実施形態における要部を示す図である。
【図３】上記実施形態における取付け基部を示す拡大斜視図である。
【図４】上記実施形態におけるアドレス時の状態を示す図である。
【図５】上記実施形態におけるテイクバックのトップの状態を示す図である。
【図６】上記実施形態におけるダウンスイング時の状態を示す図である。
【符号の説明】
【００３４】
１０        ゴルフクラブ
１１        クラブヘッド
１２        シャフト
１３        グリップ
２０        スイング練習具
２１        取付け基部
２２        ロッド
２３        指示板（指示体）
Ｂ          ゴルフボール
【図１】
2009153557.tif 000003
【図２】
2009153557.tif 000004
【図３】
2009153557.tif 000005
【図４】
2009153557.tif 000006
【図５】
2009153557.tif 000007
【図６】
2009153557.tif 000008